(57)【要約】【課題】写真等を宅配便等で配送するケースは小さい場合に写真の量が多くなるとそのケースを複数個に分けて送付すると配送料が高くなることがあった。【解決手段】第１の検出部を表面に検出可能に備えた、フランジ部と胴部と内容物を収容する凹部を備えた第１のケースと、第１の検出部と同一または所定の関係にある検出部を備えた略同一形状の第２のケースとを、第１のケースと第２のケースを第１の検出部と第２の検出部が表裏関係にあるようにして収納し、閉鎖する蓋部を備えたケース収納袋、収納装置および収納方法。【選択図】図１
2011143949.tif 000002
【特許請求の範囲】
【請求項１】
端部と入り口部と少なくとも一部が透明な収納部と該収納部を閉鎖する蓋部を備え、前記収納部はフランジ部と、胴部と、第１の検出部を記載した内容物を収容する凹部とを備えた第１のケースと、第１のケースと略同一形状で第２の検出部を記載した内容物を収容する第２のケースとを収納し、第１の検出部と第２の検出部が同一または所定の関係であると判定し、前記蓋部を第１のケースと第２のケースが表裏関係にあるようにして収納する指標とするケース収納袋。
【請求項２】
端部と入り口部と少なくとも一部が透明な収納部と該収納部を閉鎖する蓋部を備え、前記収納部はフランジ部と、胴部と、第１の検出部を記載した内容物を収容する凹部とを備えた第１のケースと、第１のケースと略同一形状で第２の検出部を記載した内容物を収容する第２のケースとを収納し、第１の検出部と第２の検出部が同一または所定の関係であると判定して第１のケースと第２のケースを表裏関係にしてユニット化する統合手段と、前記蓋を前記統合されたユニットを前記ケース収納袋に収納する指標とするケース収納袋。
【請求項３】
端部が閉鎖され、第１の検出部を記載した内容物を収容する凹部を備えた第１のケースとそれと略同一形状で第２の検出部を記載した内容物を収容する凹部を備えた第２のケースを収納する両面が少なくとも一部が略透明のケース収納袋と、第１の検出部を検出する第１の検出手段と、第２の検出部を検出する、第１の検出手段とは相対する側に位置する第２の検出手段と、第１、２の検出手段による検出結果を比較する比較手段と、前記比較手段の比較結果に応じて第１のケースと第２のケースを前記ケース収納袋に挿入する手段と、第１のケースと第２のケースが前記ケース収納袋に収納が完了されたことを検知する第３の検出手段と、第３の検出手段の検出結果に応じて前記ケース収納袋の蓋部を閉鎖する閉鎖手段と、を備えたケース収納装置。
【請求項４】
端部が閉鎖され、第１の検出部を記載した内容物を収容する凹部を備えた第１のケースとそれと略同一形状で第２の検出部を記載した内容物を収容する凹部を備えた第２のケースを収納する両面が少なくとも一部が略透明のケース収納袋と、第１の検出部を検出する第１の検出手段と、第１の検出手段とは相対する側に位置する第２の検出手段と、第１、２の検出手段による検出結果を比較する比較手段と、前記比較手段の比較結果に応じて第１のケースと第２のケースを統合してユニットとする統合手段と、前記ユニットを前記ケース収納袋に挿入する手段と、前記ユニットが前記ケース収納袋に収納が完了されたことを検知する第３の検出手段と、第３の検出手段の検出結果に応じて前記ケース収納袋の蓋部を閉鎖する閉鎖手段と、を備えたケース収納装置。
【請求項５】
第１のケースと第２のケースは、それぞれ前記ケースの内部を閉鎖するために閉鎖蓋を装着するためにフランジ部と、胴部と内容物を収容する凹部を備えた請求項３あるいは請求項４に記載のケース収納装置。
【請求項６】
第２のケースの挿入が完了したとき、第１のケースの前記フランジ部と第２のケースの前記胴部が接触した状態である請求項３あるいは請求項４に記載のケース収納装置。
【請求項７】
第１のケースに収容された内容物の面に記載された第１の検出部を検出するステップと、第２のケースに収容された内容物の面に記載された第２の検出部を検出するステップと、第1の検出部と第２の検出部の検出結果を比較するステップと、第１の検出部と第２の検出部の検出出力を比較して所定の関係であると判定したときに少なくとも一部が透明な収納袋に第１のケースを挿入した後に第２のケースを挿入するステップと、第１のケースと第２のケースの収納が完了したことを検知するステップと、前記袋の蓋部を閉鎖するステップと、を備えたケース収納方法。
【請求項８】
第１のケースに収容された内容物の面に記載された第１の検出部を検出するステップと、第２のケースに収容された内容物の面に記載された第２の検出部を検出するステップと、第1の検出部と第２の検出部の検出結果を比較するステップと、第１の検出部と第２の検出部の検出出力を比較して所定の関係であると判定したときに第１の検出部と第２の検出部の検出方向を表裏関係にさせるようにして第１のケースと第２のケースを統合してユニットとするステップと、少なくとも一部が透明な収納袋の蓋部を基準にして前記ユニットを挿入するステップと、前記ユニットの収納が完了したことを検知するステップと、前記蓋部を閉鎖するステップと、を備えたケース収納方法。
【請求項９】
第１の検出部および第２の検出部は、バーコード、二次元コード等のコード情報であり、第１の検出装置および第２の検出装置はバーコード、二次元コード等のコード情報を読み取るコードリーダーである請求項１、２、３、４、７、８に記載のケース収納袋、ケース収納装置及びケース収納方法。
【発明の詳細な説明】
【技術分野】
【０００１】
本発明は、写真、秘密書類等をいれたケースを郵送、宅配便等で配送するケース収納袋、ケース収納装置およびケース収納方法に関する。
【背景技術】
【０００２】
従来は、写真を配送する場合には紙の厚い封筒に写真をいれ、厚紙でカバーして配送す
る場合が多かった。また写真を薄いビニール、ポリエチレンシートのような袋に入れて、その写真が入れられたものを封筒に入れられて配送していた。
【０００３】
そこで、図１５、図１６で示す特許文献１に示すように、本出願人がケース５１である略直方体の枠体で、収納室５２内に仕切５３、５４を挟んで左右に２つの収納室を設けて、図のように写真を収納する。さらに図１６で示す同じく特許文献１に示すように枠体を覆う蓋部材５５は宛先５６、バーコード５７、送付元５８が記載された板部材に対して透明で他は不透明である配送ケースが出願し、既に公開されて知られている。
【先行技術文献】
【特許文献】
【０００４】
【特許文献１】特開２００９−２２７３０２号公報
【発明の概要】
【発明が解決しようとする課題】
【０００５】
前述の配送ケースでは１００枚程度の写真を送ることができる。しかしながら、デジタルカメラはフィルムカメラと違って撮影した画像を撮像素子に蓄え、必要に応じて消すことができる。デジタルカメラはフィルムを巻きあげるような機械的操作でないので連続撮影も可能になったので一つのシーンに対して数多くのショットの撮影ができるようになった。しかも昨今、プリント代が低価格なネットショップ等の出現で大量に写真をプリントする顧客が多くなってきている。そのようなプリントを多く注文する顧客に対して一つの配送ケースでは多数の写真を送ることができないので、例えばケースを２つ配送していたので配送料が二倍必要であった。また、写真の枚数が多いときに大きなケースを製造することも考えられるが、製造する型の費用がかさみ、顧客数も少ない場合には顧客当たりの費用が大きくなる問題が生じる。
【０００６】
本発明は、このような従来の構成が有していた問題を解決し、適当な大きさのケースを複数収納した配送ケースをできるだけ小さな形で配送するケースを提供することを目的とするものである。
【課題を解決するための手段】
【０００７】
本発明の請求項１は、端部と入り口部と少なくとも一部が透明な収納部と該収納部を閉
鎖する蓋部を備え、前記収納部はフランジ部と、胴部と、第１の検出部を記載した内容物
を収容する凹部とを備えた第１のケースと、第１のケースと略同一形状で第２の検出部を
記載した内容物を収容する第２のケースとを収納し、第１の検出部と第２の検出部が同一
または所定の関係であると判定し、前記蓋部を第１のケースと第２のケースが表裏関係に
あるようにして収納する指標とするケース収納袋を提供することにあり、ケース収納袋に
コンパクトに第１および第２のケースを収納して配送できる。
【０００８】
本発明の請求項２は、端部と入り口部と少なくとも一部が透明な収納部と該収納部を閉鎖する蓋部を備え、前記収納部はフランジ部と、胴部と、第１の検出部を記載した内容物を収容する凹部とを備えた第１のケースと、第１のケースと略同一形状で第２の検出部を記載した内容物を収容する第２のケースとを収納し、第１の検出部と第２の検出部が同一または所定の関係であると判定して第１のケースと第２のケースを表裏関係にしてユニット化する統合手段と、前記蓋を前記統合されたユニットを前記ケース収納袋に収納する指標とするケース収納袋を提供することにある。第１のケースと第２のケースを紐などでひとまとめにしてケース収納袋に挿入するので誤って異なるものを挿入することがないので誤送の心配をなくすものである。
【０００９】
請求項３は、端部が閉鎖され、第１の検出部を記載した内容物を収容する凹部を備えた第１のケースとそれと略同一形状で第２の検出部を記載した内容物を収容する凹部を備えた第２のケースを収納する両面が少なくとも一部が略透明のケース収納袋と、第１の検出部を検出する第１の検出手段と、第２の検出部を検出する、第１の検出手段とは相対する側に位置する第２の検出手段と、第１、２の検出手段による検出結果を比較する比較手段と、前記比較手段の比較結果に応じて第１のケースと第２のケースを前記ケース収納袋に挿入する手段と、第１のケースと第２のケースが前記ケース収納袋に収納が完了されたことを検知する第３の検出手段と、第３の検出手段の検出結果に応じて前記ケース収納袋の蓋部を閉鎖する閉鎖手段と、を備えたケース収納装置を提供することにある。
【００１０】
請求項４は、端部が閉鎖され、第１の検出部を記載した内容物を収容する凹部を備えた第１のケースとそれと略同一形状で第２の検出部を記載した内容物を収容する凹部を備えた第２のケースを収納する両面が少なくとも一部が略透明のケース収納袋と、第１の検出部を検出する第１の検出手段と、第１の検出手段とは相対する側に位置する第２の検出手段と、第１、２の検出手段による検出結果を比較する比較手段と、前記比較手段の比較結果に応じて第１のケースと第２のケースを統合してユニットとする統合手段と、前記ユニットを前記ケース収納袋に挿入する手段と、前記ユニットが前記ケース収納袋に収納が完了されたことを検知する第３の検出手段と、第３の検出手段の検出結果に応じて前記ケース収納袋の蓋部を閉鎖する閉鎖手段と、を備えたケース収納装置を提供することにある。
【００１１】
請求項５は、第１のケースと第２のケースは、それぞれ前記ケースの内部を閉鎖するために閉鎖蓋を装着するためにフランジ部と、胴部と内容物を収容する凹部を備えた請求項３あるいは請求項４に記載のケース収納装置を提供することにある。
【００１２】
請求項６は、第２のケースの挿入が完了したとき、第１のケースの前記フランジ部と第２のケースの前記胴部が接触した状態である請求項３あるいは請求項４に記載のケース収納装置を提供することにある。
【００１３】
請求項７は、第１のケースに収容された内容物の面に記載された第１の検出部を検出するステップと、第２のケースに収容された内容物の面に記載された第２の検出部を検出するステップと、第1の検出部と第２の検出部の検出結果を比較するステップと、第１の検出部と第２の検出部の検出出力を比較して所定の関係であると判定したときに少なくとも一部が透明な収納袋に第１のケースを挿入した後に第２のケースを挿入するステップと、第１のケースと第２のケースの収納が完了したことを検知するステップと、前記袋の蓋部を閉鎖するステップと、を備えたケース収納方法を提供することにある。
【００１４】
請求項８は、第１のケースに収容された内容物の面に記載された第１の検出部を検出するステップと、第２のケースに収容された内容物の面に記載された第２の検出部を検出するステップと、第1の検出部と第２の検出部の検出結果を比較するステップと、第１の検出部と第２の検出部の検出出力を比較して所定の関係であると判定したときに第１の検出部と第２の検出部の検出方向を表裏関係にさせるようにして第１のケースと第２のケースを統合してユニットとするステップと、少なくとも一部が透明な収納袋の蓋部を基準にして前記ユニットを挿入するステップと、前記ユニットの収納が完了したことを検知するステップと、前記蓋部を閉鎖するステップと、を備えたケース収納方法を提供することにある。
【００１５】
請求項９は、第１の検出部および第２の検出部は、バーコード、二次元コード等のコード情報であり、第１の検出装置および第２の検出装置はバーコード、二次元コード等のコード情報を読み取るコードリーダーである請求項１、２、３、４、７、８に記載のケース収納袋、ケース収納装置及びケース収納方法を提供することにある。
【発明の効果】
【００１６】
本発明の写真等を入れたケースを複数個例えば２個のケースを挿入する際にできるだけコンパクトにして安い価格で配送できるケース収納装置、ケース収納方法、ケース収納袋を提供することができ、写真が少ない場合はケース単独でも配送可能である。
【図面の簡単な説明】
【００１７】
【図１】本発明のケース収納袋の上面図
【図２】本発明のケース収納袋の側面断面図
【図３】本発明のケース収納袋に収納するケースに収容する宛先シート
【図４】本発明のケース収納袋に収納するケースに内容物を収容して閉じるケース蓋
【図５】本発明の第１の実施例でケース収納を示す図
【図６】本発明の第１の実施例に関するブロック図
【図７】本発明の第１の実施例に関するフローチャート
【図８】本発明の第２の実施例を示す図
【図９】本発明の第２の実施例でケースを統合させる図
【図１０】本発明の第２の実施例に関するブロック図
【図１１】本発明の第２の実施例に関するケース統合時のフローチャート
【図１２】本発明におけるバーコードとケース収納袋蓋の関係位置説明図（上面）
【図１３】本発明におけるバーコードとケース収納袋蓋の関係位置説明図（側面）
【図１４】本発明の第２の実施例に関するケースユニット挿入フローチャート
【図１５】従来例
【図１６】従来例
【発明を実施するための形態】
【００１８】
図１は本発明のケースを収納したケース収納袋の上面図を示し、図２はケースを収納した収納袋の側面断面図を示す。
【００１９】
図１では、１はケース収納袋、それぞれ２室を有する２Ａ、２Ｂは収納袋に収納されるケースを示している。
【００２０】
図２はケース収納袋１にはケース２のケース２Ａ、２Ｂが裏表の関係で配されていて、ケース２Ａのフランジ部２Ｘとケース２Ｂの胴部２Ｙが接触して収納されている。すなわち、フランジ部同士が接触するよりは、フランジ部と胴部が接触した方が、凹凸の関係になってまとまりのよい収納袋となる。６は、ケース２Ａおよび２Ｂを収納袋１に挿入して蓋をするケース収納袋蓋を示す。
【００２１】
図３はケース２Ａに収容する内容物、例えば写真と同じ大きさの３で示す宛先シートを、３Ａはバーコードを示すが、バーコードでなくてＱＲコード等の二次元コードのコード情報を使ってもよい。
【００２２】
またここでケース２Ｂに収容する内容物の上に載せる宛先シートを図示していないが、バーコード３Ｂが宛先シートに印刷されているとする。
【００２３】
図４はケース蓋を示し、ケース２Ａに内容物、例えば写真を収容し、その上に図３で示した宛先シート３を載せ、４で示すケース蓋を接着する。ケース２Ａをこの状態で宅配便等を使用して配送可能である。４Ａは宛先視認可能透明部、４Ｂは送付先視認可能透明部を示し、ケース蓋の下にある宛先シート３に記載の宛先、バーコード３Ａ、３Ｂを視認可能で、バーコード３Ａ、３Ｂを宛先視認可能透明部４Ａを介してバーコードリーダー１３およびバーコードリーダー１４で読み取ることができる。
【００２４】
図５は本発明のケース収納袋にケースを収納する図面を示す。
１０はケース収納袋１を受ける台で、１１は台１０に対して直立する直立台である。直立台１１に１１Ａで示す小孔と１１Ｂで示す大穴を配し、小孔１１Ａを通して１２で示す吸入機でエアを吸入し、ケース収納袋１の１面を軽く吸入して直立台１１に添わせる。ケース２Ａをまず挿入して１３で示すバーコードリーダーでケース２Ａに挿入されている宛先シート３のバーコード３Ａを読み取り、次にケース２Ｂを挿入して１４で示すバーコードリーダーでケース２Ｂに挿入されている宛先シート３に印刷されたバーコード３Ｂを読み取る。ケース２Ａとケース２Ｂのバーコードが一致または前もって定められた状態になったときに、ケース収納袋蓋６でケース収納袋１を、１５で示すケース収納蓋閉鎖手段でケース収納袋蓋６を押圧して閉じる。
【００２５】
図６は、本発明のケース収納袋１にケースを収納するケース収納装置のブロック図を示す。
【００２６】
１８は制御回路を示し、ＳＷ１は操作スタートスイッチを、１９は電子スイッチＳＷ１３、ＳＷ１４、ＳＷ１５、ＳＷ２１，ＳＷ２２、ＳＷ２４、ＳＷ２６、ＳＷ２７で示す電子スイッチ群を示し、制御回路１８に接続し、制御回路１８の信号により制御されて次工程の動作が行われる。
【００２７】
制御回路１８には、バーコードリーダー１３とバーコードリーダー１４が接続され、さらに、２０で示すケース収納袋１にケースを収納するよう準備のためにケース収納装置にケース収納袋を装填するためのケース収納袋装填装置、２１で示すケース収納袋１を固定するためのケース収納袋固定手段、２２で示すケースをケース収納袋１に挿入するためのケース挿入手段、２４で示すケースをケース収納袋１から取出すための取出手段、２６で
示すケース２Ａとケース２Ｂを識別するＩＤ、例えばバーコードが一致、または所定の関係にあるかを比較する比較手段、２７で示すケース２Ａに続いてケース２Ｂがケース収納袋に収納が完了したことを検知する収納完了検知手段を示す。
【００２８】
操作スタートスイッチＳＷ１をオンさせると、ケース収納袋装填手段２０が作動し、ケース収納袋装填が完了すると、例えばケース収納袋１の底端部を検知して制御回路１８に信号が伝達され、制御回路１８により、電子スイッチＳＷ２１がオンする。
【００２９】
電子スイッチＳＷ２１がオンすると制御回路１８によりケース収納袋固定手段２１が作動し、吸入機１２を操作させ弱い力でケース収納袋１を小孔１１Ａより吸入し、ケース収納袋１の一面を直立台１１に沿わせて固定する。
【００３０】
ケース収納袋１が直立台１１に沿って固定する動作開始から所定時間経過後に制御回路１８により電子スイッチＳＷ２２がオンさせ、ケース２Ａをケース挿入手段２２（例えばケースをピックアップしてケース収納袋１に落下）を作動してケース収納袋１に挿入させる。
【００３１】
ケース２Ａのケース収納袋１への挿入が完了すると（挿入されるケースの底端部を検知して作動するスイッチにより収納完了が検知される）、制御回路１８により電子スイッチＳＷ１３をオンさせてバーコードリーダー１３が作動し、バーコード３Ａを読み取る。
【００３２】
バーコードの読取ができなかったときは、ケース２Ａが正規位置に位置していないと判断し、制御回路１８により電子スイッチＳＷ２４をオンし、取出手段２４（例えばケースをピックアップする）が作動してケース２Ａを取出し、再度向きを変えてＳＷ２２をオンさせてケース挿入手段２２を操作させてケース収納袋１への挿入を行う。
【００３３】
ケース２Ａの挿入が完了すると制御回路１８を介して電子スイッチＳＷ１３がオンし、バーコードリーダー１３がバーコード３Ａを読み取って記憶する。
【００３４】
バーコードの読み取りが終了すると制御回路１８が電子スイッチＳＷ２２をオンさせてケース挿入手段２２を作動させる（例えばケースをピックアップしてケース収納袋１に落下）を作動してケース収納袋１に挿入させる。
【００３５】
ケース収納袋１への収納が完了を検知する（挿入されるケースの底端部を検知して作動するスイッチにより挿入完了が検知される）と、制御回路１８により電子スイッチＳＷ１４をオンさせるとバーコードリーダー１４がバーコード３Ｂを読み取る。
【００３６】
もしバーコードの読取ができなかったときは、制御回路１８に対して電子スイッチＳＷ２４をオンし、取出手段２４（例えばケースをピックアップする）が作動して第２のケース２Ｂを取出し、再度向きを変えて制御回路１８によりＳＷ２２をオンさせてケース収納袋１への挿入を行う。
【００３７】
ケース２Ｂの挿入が完了する制御回路１８を介して電子スイッチＳＷ１４がオンし、バーコードリーダー１４がバーコード３Ｂを読み取って記憶する。
【００３８】
ケース２Ａに挿入された宛先シート３のバーコード３Ａとケース２Ｂに挿入された宛先シートに印刷されたバーコード３Ｂが記憶されると制御回路１８を介して電子スイッチ２６をオンし、比較回路２６を作動させて、バーコード３Ａとバーコード３Ｂを比較し、同一またはあらかじめ決められた特定の関係にあるかどうかを決定する。同一またはあらかじめ決められた特定の関係のときは、同一人への配送であると判定し、電子スイッチＳＷ１５をオンし、ケース収納蓋閉鎖手段１５を作動させ、ケース収納袋蓋６を折り曲げてケース収納袋１を閉じる。
【００３９】
もし、バーコード３Ａとバーコード３Ｂを比較した結果、同一でも、あらかじめ定めた特定の関係でもないときは、ケース２Ａを入れ替えて、同一またはあらかじめ定めて特定の関係のバーコードが印刷された宛先シートが挿入されたケースを探索する。
【００４０】
図７は、制御回路１８のプログラムの内容を示すフローチャートを示す。
【００４１】
まず、Ｓ１でケース収納袋１を固定してＳ２でケース２Ａをケース収納袋１に挿入する。Ｓ３に導き、ケース２Ａに挿入された宛先シート３にプリントされたバーコード３Ａを検出する。もしも検出できなければ、Ｓ４に進み、ケース収納袋１からケース２Ａを取出して、挿入の仕方を変えて再度バーコードを読む。  次にＳ５に進み、ケース２Ｂをケース収納袋１に挿入する。Ｓ６に進んでケース２Ａに挿入された宛先シート３にプリントされたバーコード３Ｂを読む。もし、バーコード３Ｂが読み取れないときは、Ｓ７に進み、ケース取出して挿入の仕方を変えて再度バーコードを読む。Ｓ８でバーコード３Ａとバーコード３Ｂが等しいか、所定の決められた関係にあるときはケース２Ａとケース２Ｂが同一人物または同一関係者への配送であると判断し、Ｓ９に進みケース収納袋１のケース収納蓋閉鎖手段１５を作動してケース収納袋蓋６を折り曲げてケース収納袋１を閉じてＳ１０でこのプロセスを終了する。
【００４２】
図８は本発明の第２の実施例を示し、ケース２Ａとケース２Ｂをあらかじめ裏表関係にして２９で示すゴム輪、紐等の統合手段で統合させユニットとする。また、ケース２Ａとケース２Ｂをゴム輪、紐等で直接に合体するのでなくて透明な小袋に収納してまとめても統合してもよい。
【００４３】
図９は、１０Ａで示す台に対して１１Aで示す直立台を配し、ケース２Ａとケース２Ｂを裏表関係にして統合する前の状態を示す。すなわち図５で示したようにバーコードリーダー１３でケース２Ａに挿入された宛先シート（不図示）に印刷されたバーコード３Ａを、ケース２Ｂに挿入された宛先シート（不図示）に印刷されたバーコード３Ｂをバーコードリーダー１４により１０Ｃで示す穴を介して読み取る。
【００４４】
図１０は、本発明の第２の実施例に関するブロック図を示す。
【００４５】
操作スタートスイッチＳＷ１を、電子スイッチＳＷ１３、ＳＷ１４、ＳＷ１５、ＳＷ２１、ＳＷ２４、ＳＷ２６、ＳＷ２７、ＳＷ２９、ＳＷ３０からなる電子スイッチ群１９が制御回路１８に接続し、制御回路１８の信号により制御されて次工程の動作が行われる。
【００４６】
また、制御回路１８には、ケース収納袋１にケースを収納するよう準備のために本発明のケース収納装置にケース収納袋１を装填するためのケース収納袋装填装置２０、ケース収納袋１を固定するためのケース収納袋固定手段２１、バーコードリーダー１３とバーコ
ードリーダー１４、ケースユニットをケース収納袋１から取出すための取出手段２４、ケース２Ａとケース２Ｂを識別するＩＤ、例えばバーコードが一致、または所定の関係にあるかを比較する比較手段２６、比較手段２６によるバーコードの比較の結果、一致または所定の関係にあるときにケース２Ａとケース２Ｂを統合してケースユニットとするケース統合手段２９、ケースユニットをケース収納袋１に挿入するケースユニット挿入手段、ケース収納袋１にケースユニットの収納が完了したことを検知する収納完了検知手段２７、収納完了が検知されたら電子スイッチ１５がオンとなってケース収納袋１を閉鎖するケース収納袋蓋６を閉鎖するケース収納袋蓋閉鎖手段１５が接続されている。
【００４７】
図１１は、ケース２Ａとケース２Ｂのバーコードを比較して一致または所定の関係のときにケースユニットとして統合するフローチャートを示す。
【００４８】
Ｓ２１でケース２Ａのバーコード３Ａを検出し、Ｓ２２でケース２Ｂのバーコード３Ｂを検出して、Ｓ２３でバーコード３Ａとバーコード３Ｂを比較する。バーコード３Ａ、３Ｂが一致もしなければ、所定の関係でもないときにはケースを交換してバーコードを検出して比較する。バーコード２Ａとバーコード３Ａが一致または所定の関係であるときにはＳ２４に進み、ゴム輪または紐のような統合手段でケース２Ａとケース２Ｂを統合して、Ｓ２５で終了する。
【００４９】
図１２、図１３はケースユニットのバーコードとケース収納袋蓋６との位置関係を示す。
先に挿入したケース２Ａのバーコード３Ａとケース収納袋蓋６の位置関係はケー２Ｂのバーコード３Ｂに対して同じ側にあることを判定してケース収納袋１に対してケースユニットを挿入する。
【００５０】
図１４はケースユニットをケース収納袋１に挿入するフローチャートを示す。
まず、操作スタートスイッチＳＷ１をオンさせるとケース収納袋１をケース収納袋装填手段２０より取出すと、Ｓ３１で示すように不図示ではあるが、電子スイッチＳＷ２１をオンさせて図５で示した吸入機１２を使って空気でケース収納袋１を一側に吸着させてケース収納袋固定手段２１により固定する。Ｓ２２で既にケース２Ａのバーコード３Ａとケース２Ｂのバーコード３Ｂが一致または所定の関係にあると判断されてケースユニットとして統合していたケースユニットの挿入準備を行う。Ｓ３３に進み、図１４で示すように不図示ではあるが例えば光センサーを使ってケース収納蓋６の位置とバーコード３Ａの位置を確認し正規位置か否かを判定する。正規位置の場合はＳ３４に進み、例えば収納袋の端部を検知することにより、電子スイッチＳＷ３０がオンしてケースユニットの挿入を開始し、Ｓ３５に進み、電子スイッチＳＷ２７をオンして収納完了検知手段が作動する。収納完了が検知されればＳ３６に進み、電子スイッチＳＷ１５をオンさせてケース収納袋蓋６の閉鎖が完了したことを検知することにより、Ｓ３７に進んでこのプロセスを終了する。
【００５１】
ここまでケース収納袋１にケース２Ａとケース２Ｂを収納するように説明を行ったが、収納できるケースは二つに限らない。
【符号の説明】
【００５２】
１・・・・・・・・・ケース収納袋
２Ａ、２Ｂ・・・・・ケース
３・・・・・・・・・宛先シート
３Ａ、３Ｂ・・・・・バーコード
４・・・・・・・・・ケース蓋
４Ａ・・・・・・・・宛先視認可能透明部
４Ｂ・・・・・・・・送付先視認可能透明部
６・・・・・・・・・ケース収納袋蓋  
１０・・・・・・・・台
１１・・・・・・・・直立台
１２・・・・・・・・吸入機
１３・・・・・・・・バーコードリーダー
１４・・・・・・・・バーコードリーダー
１５・・・・・・・・ケース収納袋蓋閉鎖手段    
１８・・・・・・・・制御回路
１９・・・・・・・・電子スイッチ群  
２０・・・・・・・・ケース収納袋装填手段
２１・・・・・・・・ケース収納袋固定手段
２２・・・・・・・・ケース挿入手段
２４・・・・・・・・取出手段
２６・・・・・・・・比較手段
２７・・・・・・・・収納完了検知手段
２９・・・・・・・・統合手段
３０・・・・・・・・ケースユニット挿入手段
【図１】
2011143949.tif 000003
【図２】
2011143949.tif 000004
【図３】
2011143949.tif 000005
【図４】
2011143949.tif 000006
【図５】
2011143949.tif 000007
【図６】
2011143949.tif 000008
【図７】
2011143949.tif 000009
【図８】
2011143949.tif 000010
【図９】
2011143949.tif 000011
【図１０】
2011143949.tif 000012
【図１１】
2011143949.tif 000013
【図１２】
2011143949.tif 000014
【図１３】
2011143949.tif 000015
【図１４】
2011143949.tif 000016
【図１５】
2011143949.tif 000017
【図１６】
2011143949.tif 000018